(57)【要約】      （修正有）【課題】迷子の愛玩動物を保護した保護者は、タグから愛玩動物の情報を手軽に入手でき、保護者が飼い主に連絡することが可能なタグを提供する。【解決手段】本考案は、金属又はファインセラミックスからなる基台２に金属用彫刻機によるＱＲコード（登録商標）３を彫刻したタグ１であって、ＱＲコード３に犬やネコなどの愛玩動物の認証機能を含ませる。【選択図】図２
0003203697.tif 000002
【実用新案登録請求の範囲】
【請求項１】
金属又はファインセラミックスからなる基台に金属用彫刻機によるＱＲコードを彫刻したタグであって、ＱＲコードに犬やネコなどの愛玩動物の認証機能を含ませたことを特徴とするタグ。
【請求項２】
前記基台はチタン鋼であって、愛玩動物の認証機能は、犬種、名前、飼い主の住所・氏名・電話番号が含まれている請求項１に記載のタグ。
【請求項３】
前記愛玩動物の認証機能は、愛玩動物の写真を彫刻したものが含まれている請求項１に記載のタグ。
【請求項４】
前記愛玩動物の認証機能は、愛玩動物と愛玩動物の飼い主との写真を彫刻したものが含まれている請求項１に記載のタグ。
【考案の詳細な説明】
【技術分野】
【０００１】  本考案は、犬やネコなどの愛玩動物の首にかけるタグに関するものである。
【背景技術】
【０００２】  従来より、犬やネコなどの愛玩動物が行方不明になることが多発している。その場合、飼い主は写真と特徴などを記載したポスターを作製して自分で探したり、業者を利用して探さなければならず、多大な労力と費用を要した。【０００３】  上記問題点を解消するため、愛玩動物が行方不明になることを想定して、愛玩動物の飼い主は、愛玩動物の首にかけるタグに愛玩動物の名前や電話番号をボールペン等にて記載しているが、記載できる面積が狭く記載したいことを十分に記載することができないという問題点と、記載したものが雨水や津波などで損傷し読めなくなるという問題点があった。
【先行技術文献】
【特許文献】
【０００４】
【特許文献１】実用新案第３１２２８６９号
【考案の概要】
【考案が解決しようとする課題】
【０００５】  本考案は、上記従来の課題を解決するためになされたものであり、迷子の愛玩動物を保護した保護者は、タグから愛玩動物の情報を手軽に入手でき、保護者が飼い主に連絡することが可能なタグを提供することにある。
【課題を解決するための手段】
【０００６】  上記課題を解決するため、本考案のタグは、金属又はファインセラミックスからなる基台に金属用彫刻機によるＱＲコードを彫刻したタグであって、ＱＲコードに犬やネコなどの愛玩動物の認証機能を含ませたことを特徴とする。
又、本考案にあっては、前記基台はチタン鋼であって、愛玩動物の認証機能は、犬種、名前、飼い主の住所・氏名・電話番号が含まれていることが望ましい。
又、本考案にあっては、前記愛玩動物の認証機能は、写真を彫刻したものが含まれていることが望ましい。
又、本考案にあっては、前記愛玩動物の認証機能は、愛玩動物と愛玩動物の飼い主との写真を彫刻したものが含まれていることが望ましい。
【考案の効果】
【０００７】  本考案のタグは、金属又はファインセラミックスからなる基台に金属用彫刻機によるＱＲコードを彫刻したタグであって、ＱＲコードに犬やネコなどの愛玩動物の認証機能を含ませたことを特徴とするものであるから、タグに多くの情報を書き込むことが出来るともに、書き込んだものが雨水や津波などで損傷することが無いという効果があり、迷子の愛玩動物を保護した保護者は、タグから愛玩動物の情報を手軽に入手して、飼い主に連絡することが可能となり、飼い主の元に返ってくる可能性が高くなるという効果がある。
又、請求項２のように、前記基台はチタン鋼であって、愛玩動物の認証機能は、犬種、名前、飼い主の住所・氏名・電話番号が含まれているものは、迷子の愛玩動物を保護した保護者は、タグから愛玩動物の情報を手軽に入手して、飼い主に連絡することが可能となり、飼い主の元に返ってくる可能性が高くなるという効果がある。
又、請求項３のように、前記愛玩動物の認証機能は、写真を彫刻したものが含まれているものは、通常のタグでは無いことを迷子の愛玩動物を保護した保護者に知らしめることが出来、迷子の愛玩動物が飼い主の元に返ってくる可能性が高くなるという効果がある。
又、請求項４のように、前記愛玩動物の認証機能は、愛玩動物と愛玩動物の飼い主との写真を彫刻したものが含まれているものは、飼い主が視覚で判明でき、迷子の愛玩動物が飼い主の元に返ってくる可能性が高くなるという効果がある。
【図面の簡単な説明】
【０００８】
【図１】図１は、本考案のタグの表面図。
【図２】図２は、本考案のタグの裏面図。
【考案を実施するための形態】
【０００９】  以下、本考案の実施の形態を図１乃至図２に基づいて詳述すると、タグ１は、チタン鋼からなる基台２にファイバーレーザー加工機でＱＲコード３と、愛玩動物の名前４が片面に彫刻されるとともに、他の片面に購入者が希望される愛玩動物の写真などからなる表示部５がファイバーレーザー加工機で彫刻されている。実施例の表示部５は、愛玩動物の写真に基づいて彫刻したものであるが、購入者の希望により、愛玩動物と飼い主との写真や電話番号などの連絡先等を彫刻しても構わないものである。また、イラスト、名前、その他のものを彫刻しても構わないものである。基台２をチタン鋼にし、ファイバーレーザー加工機を用いて彫刻したものは、ファイバーレーザー加工機とチタン鋼との相性が良く、ファイバーレーザー加工機で彫刻したチタン鋼の箇所が黒くなるものであり、この黒くなった箇所をＱＲコード３として使用すれば良い。尚、チタン鋼以外にステンレス鋼、アルミニウム等も選択可能であるが、アルミニウムの場合は、インクを塗る必要があり、剥がれるおそれがある。
【００１０】  基台２は、長方形状でコーナー部には円弧状の円弧部２ａが形成されており、上部中央にはチェーン又は紐を挿入する開口部６が形成されている。尚、基台２の形状及び開口部６の位置は実施例に限定されるものでは無く、円形状であっても構わないものである。基台２の大きさは、縦が３７．７ミリメートル、横が２１．６ミリメートル、厚みが１．４ミリメートル程度の大きさの長方形状のもの、縦が２７．３ミリメートル、横が１５．５ミリメートル、厚みが０．９ミリメートル程度の大きさの長方形状のもの、縦が２１ミリメートル、横が１５ミリメートル、厚みが１．０ミリメートル程度の大きさの長方形状のものを採用し、愛玩動物の大きさに応じて選択できるようにしているが、縦が３３ミリメートル、横が１２ミリメートル、厚みが２ミリメートルの程度の大きさの長方形状のものや、縦が２８ミリメートル、横が１２ミリメートル、厚みが２ミリメートルの程度の大きさの楕円形形状のものでも構わないものであり、目立つように大きなものを採用しても構わないものである。基台２は、ブラスト研磨とブラスト研磨に比し光沢のあるバレル研磨とを選択することができる。
【００１１】  ＱＲコード３は、犬種、名前、飼い主の住所・氏名・電話番号、メッセージ、その他のＱＲコード３として残しておきたい情報を入力することができ、携帯電話のカメラ等で読み取ることができるようになっている。ＱＲコード３は、犬やネコなどの愛玩動物の認証機能として使用されるものであり、購入者の希望に合わせて設定できるようになっている。携帯電話番号は、携帯電話に表示されたものに触れることで発信されるようにしても構わないものである。
【００１２】  ファイバーレーザー加工機は、出願人が販売しているワードファイバーレーザー（一本彫刻機、２５本金属自動機彫刻機）が印鑑のような微細な彫刻が可能でるとともに、彫刻の劣化及び消滅しないものであり、望ましいものである。ファイバーレーザー加工機によるＱＲコードを彫刻する彫刻工程には彫刻するベースを白くする工程が前工程として含まれている。この工程は、パワーとスピードとを最適値に設定し、縦と横に２回ずつ走査させることで完了し、パワーとスピードとを最適値に設定し、連続してＱＲコード３の彫刻を行えば良いものである。レーザー加工機としてファイバーレーザー加工機以外に一般のレーザー加工機、ＣＯ２レーザー加工機、ヤグレーザー加工機があるが、ＱＲコードの彫刻にはファイバーレーザー加工機が適している。
【００１３】  基台２の実施例として金属以外のものとして、ファインセラミックスがある。
【符号の説明】
【００１４】    １    タグ
２    基台
３    ＱＲコード
４    名前
５    表示部
６    開口部
【図１】
0003203697.tif 000003
【図２】
0003203697.tif 000004